(57)【特許請求の範囲】
【請求項１】
ギヤ部（9a）とベルト支持部（9b）からなる駆動ギヤ部材（9）を固定した駆動回転軸（6）と従動回転軸（7）を、左右平行フレーム（5）、（5）の相対する通孔（13）、（13）間に所定スパンで嵌装し、軸受ユニット（8）を介して軸支した前記駆動回転軸（6）の駆動ギヤ部材（9）、（9）と前記従動回転軸（7）のベルト受け部（7a）、（7b）間にベルトロッドコンベヤユニット（4a）を回動可能に架設したベルトロッドコンベヤ（4）において、前記駆動回転軸（6）と通孔（13）間の隙間（14a）を塞ぐフランジ部（16a）と前記駆動回転軸（6）の外周面を覆う中空スリーブ体（16b）を一体形成し、且つ、該中空スリーブ体（16b）の先端を前記駆動ギヤ部材（9）の固定ベース部（9d）まで近接させた土砂浸入防止ブラケット（16）のフランジ部（16a）を前記フレーム（5）の内側面に前記軸受ユニット（8）に対応して固設したことを特徴とする収穫機におけるベルトロッドコンベヤ回転軸の軸受ユニット破損防止機構
【発明の詳細な説明】
【技術分野】
【０００１】
この発明は、ビート等の根菜収穫機に取付けたベルトロッドコンベヤ回転軸の軸受ユニット破損防止機構に関し、詳細には、土壌から掘り上げた作物と一緒に搬送され、コンベヤ回転軸廻りに落下・堆積した土砂の軸受ユニットへの侵入を抑制する軸受ユニット破損防止機構に関する。
【背景技術】
【０００２】
図1に示すように、圃場のビート等を収穫する作物収穫機1には掘取り爪2で掘り起こした作物を車台後部の回転揚送機3へ搬送するためのベルトロッドコンベヤ4が取付けられている。
ベルトロッドコンベヤ4は図２、図３、図４に例示するように、左右平行のフレーム5、5の長手方向に沿って駆動回転軸6と従動回転軸7が所定のスパンで配設されており、これらの駆動回転軸6と従動回転軸7間にエンドレス（環状）のベルトロッドコンベヤユニット4aが架設されている。
駆動回転軸6は左右フレーム5、5の外側面に固設した軸受ユニット8、8に回転可能に支持され、図を省略した駆動装置からの回転駆動力が付与されるようになっている。
【０００３】
図２に示すように、駆動回転軸6の軸体には左右対の駆動ギヤ部材9、9が前記左右フレーム5、5の内側に近接させて結合ブラケット10により一体回転可能に固設されている。
各々の駆動ギヤ部材9、9は、図５に拡大して示すように、円形のギヤ部9aの側面(フレーム5側)に複数のくし歯9cを突出させた環状のベルト支持部9bを一体形成してなり、結合ブラケット10（図２参照）により駆動回転軸6の左右両側に固定されている。
【０００４】
ベルトロッドコンベヤユニット4aは、図３、図４のように左右対のベルト部11、11間に多数のロッド12、12の両端を固定したエンドレスの環状すのこ部材からなり、ロッド12、12間の隙間を駆動ギヤ部材9、9のギヤ部9aに噛ませるとともに、ベルト部11、11を左右駆動ギヤ部材9、9のベルト支持部9b、9bと従動回転軸7のベルト受け部7a、7b間に回動可能に架設されている。
【０００５】
このような構成になるベルトロッドコンベヤ4においては、圃場から掘り上げたビート等の作物を搬送する過程でロッド12、12間の隙間から土砂が振り落とされ、下側を回動するベルト部11、11の内表面に落下した土砂は従動回転軸7に圧接されてベルト部11に付着する。
内周表面に土砂を付着したベルト部11が駆動ギヤ部材9のベルト支持部9bへ回動してくると、図７に示すように、ベルト支持部9bのくし歯（9c）との摩擦で土砂が掻き落とされ、ベルト支持部9bの円形くし歯内側とフレーム5の間に堆積土砂18として徐々に成長してゆく。
【０００６】
図７に示すように、一般にベルトロッドコンベヤ4は、フレーム5の通孔13に遊嵌した駆動回転軸6をフレーム４外側面に固定した軸受ユニット8で回転可能に軸支しているので駆動回転軸6の軸体とフレーム5の通孔13の間に前記軸受ユニット8に通じる隙間14a、14bが存在する。
このため、前記ベルト支持部9b内部に堆積した土砂18は前記４の内側隙間14aからフレーム4内に侵入し、さらに、フレーム4の外側隙間14bから軸受ユニット8内部に侵入してくる。その結果、土砂の侵入圧力で軸受ユニット8のベアリングケーシング15が変形・破壊され、内部のベアリングが飛び出してしまうと云ったトラブルが生じていた。
【先行技術文献】
【特許文献】
【０００７】
【特許文献１】特開２００９−４５０１７号公報
【０００８】
特開2009-45017号公報には、作物掘り取り装置において、ロッド式ベルトコンベヤから落下してくる土砂のロッド取付けボルト部分への付着防止手段として、コンベヤの左右長手方向隅部を回動する取付けボルト群の軌道上方にカバー板を配設する技術が開示されている。
【発明の概要】
【発明が解決しようとする課題】
【０００９】
本発明の目的は、左右フレームの長手方向に駆動回転軸と従動回転軸を軸支し、これら駆動回転軸と従動回転軸間に環状のベルトロッドコンベヤユニットを回動可能に架設した作物収穫機用ベルトロッドコンベヤにおいて、駆動回転軸に固定した駆動ギヤ部材のベルト支持部とフレーム間の堆積土砂が駆動回転軸の軸受ユニットへ侵入しないようにした軸受ユニット破損防止機構を提供することにある。
【課題を解決するための手段】
【００１０】
上記目的を達成するために本発明の軸受ユニット破損防止機構は、ギヤ部とベルト支持部からなる駆動ギヤ部材を固定した駆動回転軸と従動回転軸を、左右平行フレームの相対する通穴間に所定スパンで嵌装し、軸受ユニットを介して軸支した前記駆動回転軸の駆動ギヤ部材と前記従動回転軸のベルト受け部間にベルトロッドコンベヤユニットを回動可能に架設したベルトロッドコンベヤにおいて、前記駆動回転軸と通孔間の隙間を塞ぐフランジ部と前記駆動回転軸を覆う中空スリーブ体からなる土砂浸入防止ブラケットを形成し、この土砂浸入防止ブラケットの前記フランジ部を、フレーム外側面の前記軸受ユニットに対応してフレームの内側面に固設したことを特徴とする。
【００１１】
土砂浸入防止ブラケットはフランジ部と中空スリーブ体を一体結合した構成でもよく、また、フランジ部と中空スリーブ体を軸方向に二つ割りに分割し、駆動回転軸6の軸体を中心にして両側から抱き合わせるようにして一体に組み合わせるようにしてもよい。
【００１２】
好ましくは、前記土砂浸入防止ブラケットの中空スリーブ体をフランジ部から前記駆動ギヤ部材の固定ベース部まで近接させて駆動回転軸をカバーするようにする。
【発明の効果】
【００１３】
駆動回転軸とフレーム通孔間の隙間がフランジ部で塞がれ、土砂堆積部の回転軸が中空スリーブ体で覆われるので堆積土砂の圧力が増しても軸受ユニットへの土砂侵入が抑制され、軸受ユニットの破損が防止される。
【００１４】
土砂浸入防止ブラケットの中空スリーブ体を駆動ギヤ部材のベルト支持部内ベースまで延在させた実施形態では、軸受ユニットへの土砂圧はほとんどなくなるので破損防止効果が一層改善される。
【図面の簡単な説明】
【００１５】
【図１】本発明が利用される作物収穫機の概略斜視図
【図２】ベルトロットコンベヤのユニット取付け用枠体斜視図
【図３】ベルトロットコンベヤの組付け斜視図
【図４】図３のA−A線要部断面図
【図５】駆動ギヤ部材の拡大斜視図
【図６】駆動ギヤ部材とベルトロッドコンベヤユニットの組付け拡大図
【図７】図３のベルトロッドコンベヤにおける土砂堆積説明図
【図８ａ】本発明の一実施例による土砂浸入防止ブラケットの取付け説明図
【図８ｂ】本発明の他の実施例による土砂浸入防止ブラケットの取付け説明図
【図９】本発明による土砂浸入防止ブラケットの組付け説明図
【発明を実施するための形態】
【００１６】
以下、本発明の実施例を添付の図面に基づいて説明する。
なお、図２乃至図９を参照して述べた上記説明は本発明の前提であるところから、重複をさけるため本発明の実施形態の一部（前提）として援用する。
【００１７】
上記に説明したビート等の作物収穫機のベルトロッドコンベヤ4において、本発明の軸受ユニット破損防止機構は、駆動回転軸6の挿入孔を有するフランジ部16aと駆動回転軸6の外周面をカバーする中空スリーブ体16bを一体に有する土砂浸入防止ブラケット16を形成し、この土砂浸入防止ブラケット16のフランジ部16aをフレーム5外側の軸受ユニット8に対応してフレーム5の内側壁面に固定してなるもので、これにより、駆動回転軸6とフレーム5の通孔13の隙間14aをフランジ部16aで塞ぐとともに、中空スリーブ体16bで駆動回転軸6を覆うことにより、堆積土砂18が中空スリーブ体16b内及び前記隙間14aへ浸入しない構造にしたものである。
【００１８】
図８ａは駆動回転軸6の挿入孔通路を形成したフランジ部16aと中空スリーブ体16bを一塊のブラケットとして一体形成した土砂浸入防止ブラケット16を例示している。
【００１９】
本発明に係る土砂浸入防止ブラケット16は上記の構成に限定されるものではなく、図８ｂに示すように、土砂浸入防止ブラケット16を、左右ボルト取付け部を中心にして軸方向に二分した分割部材19a、19bで構成し、軸受ユニット8に装着した駆動回転軸6の両側から前記分割部材19a、19bを結合部材20を介して抱き合わせることにより一体の土砂浸入防止ブラケット16に形成してもよい。
【００２０】
いずれの場合も、土砂浸入防止ブラケット16はフランジ部16ａに設けた左右の取付ボルト17、17をフレーム5に貫通させてフレーム外側の軸受ユニット8に結合するのが望ましい。
【００２１】
なお、土砂浸入防止ブラケットはフレームと同様に金属、硬質プラスチックなどの要に所要の強度を有する材質で形成する。
【産業上の利用可能性】
【００２２】
土砂浸入防止ブラケットにより駆動回転軸の軸受ユニットが破損から保護されるのでベルトロッドコンベヤの不具合が抑制され、収穫作業効率の向上に資する。
【符号の説明】
【００２３】
１…作物収穫機
２…掘取り爪
３…回転揚送機
４…ベルトロッドコンベヤ
４…ベルトロッドコンベヤユニット
５…フレーム
６…駆動回転軸
７…従動回転軸
７a、７b…ベルト受け部
８…軸受ユニット
９…駆動ギヤ部材
９a…ギヤ部
９b…ベルト支持部
９c…くし歯
９d…固定ベース部
１０…結合ブラケット
１１…ベルト部
１２…ロッド
１３…通孔
１４a、１４b…隙間
１５…ベアリングケーシング
１６…土砂浸入防止ブラケット
１６ａ…フランジ部
１６ｂ…中空スリーブ体
１７…取付ボルト
１８…堆積土砂
１９ａ、１９ｂ…分割部材
２０…結合部材
【要約】
【課題】収穫機ベルトロッドコンベヤからの堆積土砂が駆動回転軸の軸受ユニットへ侵入しないようにする。
【解決手段】軸受ユニットで軸支した回転軸の駆動ギヤ部材と従動回転軸間にベルトロッドコンベヤユニットを架設したベルトロッドコンベヤにおいて、駆動回転軸と通孔間の隙間を塞ぐフランジ部と駆動回転軸を覆う中空スリーブ体からなる土砂浸入防止ブラケットを形成し、この土砂浸入防止ブラケットのフランジ部をフレーム外側面の軸受ユニットに対応してフレームの内側面に固設する。
【選択図】図９【図１】
0005785649.tif 000002
【図２】
0005785649.tif 000003
【図３】
0005785649.tif 000004
【図４】
0005785649.tif 000005
【図５】
0005785649.tif 000006
【図６】
0005785649.tif 000007
【図７】
0005785649.tif 000008
【図８ａ】
0005785649.tif 000009
【図８ｂ】
0005785649.tif 000010
【図９】
0005785649.tif 000011